(57)【要約】【課題】人が座った状態でも仰臥姿勢においても更に人の体の動きによってもほぼ無関係に排泄物を捕らえる。【解決手段】弾性部材から構成された人工臀筋ブロックを内包し、装着時に少なくとも人の臀部と対向する部分に面ファスナー２６ａａが設けられたカバー２０を具備するオムツ外装体２と、オムツの便対応部に開口部３６を有し、前記オムツ外装体２の面ファスナー２６ａａにより前記オムツ外装体２に接着するオムツ本体部３０と、前記オムツ本体部３０の開口部３６に結合され、内部が吸水性で外部が防水性の便袋であって、オムツ外装体の穴に収容される便袋４０と、を具備するオムツ内装体３と、によって構成される。【選択図】図１
2014094062.tif 000002
【特許請求の範囲】
【請求項１】
人の臀部を一周するように環状に形成された弾性部材から構成された人工臀筋ブロックと、
前記人工臀筋ブロックを内包し、前記人工臀筋ブロックの環状部分における穴に対応する穴を有するカバーであって、装着時に少なくともこのカバーが人の臀部と対向する部分に面ファスナーが設けられたカバーと、
を具備するオムツ外装体と、
オムツの便対応部に開口部を有し、前記オムツ外装体の面ファスナーにより前記オムツ外装体に接着するオムツ本体部と、
前記オムツ本体部の開口部に結合され、内部が吸水性で外部が防水性の便袋であって、オムツ外装体の穴に収容される便袋と、
を具備するオムツ内装体と、
によって構成されることを特徴とするオムツユニット。
【請求項２】
オムツ外装体の穴はカバーによって塞がれた有底であって、この穴の底に面ファスナーが設けられていることを特徴とする請求項１に記載のオムツユニット。
【請求項３】
装着時にカバーが人の臀部と対向する部位において、衝撃吸収ジェル片が、カバーと人工臀筋ブロックとの間に設けられていることを特徴とする請求項１または２に記載のオムツユニット。
【請求項４】
装着時に仙骨・尾骨が対応する人工臀筋ブロックの部位に、凹部が形成され、環状部分の外側へ向かって下り傾斜が形成されていることを特徴とする請求項１乃至３のいずれか１項に記載のオムツユニット。
【請求項５】
装着時に臀部と足の境部が対応する人工臀筋ブロックの部位に、環状部分の外側へ向かって下り傾斜が形成されていることを特徴とする請求項１乃至４のいずれか１項に記載のオムツユニット。
【請求項６】
装着時に臀筋が対応する人工臀筋ブロックの部位に、人工臀筋ブロックの大部分を構成部材とは異なる弾性の発泡性樹脂が臀筋側に凸に設けられていることを特徴とする請求項１乃至５のいずれか１項に記載のオムツユニット。
【請求項７】
便袋が、高分子吸収性ポリマーを含有する内袋と、透湿防水性の外袋により構成されていることを特徴とする請求項１乃至６のいずれか１項に記載のオムツユニット。
【請求項８】
便袋の外袋の開口部分が、オムツ本体部における開口部の周縁に熱圧着または接着により結合されていることを特徴とする請求項７に記載のオムツユニット。
【請求項９】
人の臀部を一周するように環状に形成された弾性部材から構成された人工臀筋ブロックと、
前記人工臀筋ブロックを内包し、オムツカバー形状を有すると共に前記人工臀筋ブロックの環状部分における中央部に穴を有するカバーであって、装着時に少なくともこのカバーが人の臀部と対向する部分に面ファスナーが設けられたカバーと、
を具備することを特徴とするオムツ外装体。
【請求項１０】
オムツ外装体の穴はカバーによって塞がれた有底であって、この穴の底に面ファスナーが設けられていることを特徴とする請求項９に記載のオムツ外装体。
【請求項１１】
装着時にカバーが人の臀部と対向する部位において、衝撃吸収ジェル片が、カバーと人工臀筋ブロックとの間に設けられていることを特徴とする請求項９または１０に記載のオムツ外装体。
【発明の詳細な説明】
【技術分野】
【０００１】
この発明は、特に要介護者等に好適なオムツユニット及び、このオムツユニットを構成するオムツ外装体に関するものである。
【背景技術】
【０００２】
今日、日本においては高齢化社会を迎えるに至り、高齢者の介護が問題となっている。特に、オムツの需要は高くなっている。これに応えてオムツは、多種多様なものが登場しており、その数は１５００種類にも及ぶと言われている。しかしながら、これらの各種のオムツはそれぞれに特徴があるものの、必ずしも満足されているものは少ないのが現状である。
【０００３】
特に、緩い便がオムツの肛門に対向する部分から背中や腰全体に回り込むことが問題とされる。この場合、便由来の細菌が尿路（特に女性の尿路）に入り込み、尿路感染して膀胱炎を発症する危険性が高い。また、寝た切りの患者においては仙骨部分の褥瘡に汚物が付着することで、褥瘡が治癒する暇がなく、むしろ症状の悪化の危険性がある。これらの感染症の治療には、一般的に抗生物質が使用されることが広く行われているものの、その使用過多によりＭＲＳＡ（メチシリン耐性黄色ブドウ球菌）感染症などが発症することもある。この感染症には効果のある抗生物質が希少であり、院内感染が起こることも想定され、極めて重篤な状態となることも考えられる。このような事情から、免疫力が低下している患者（特に老人）については、上記の感染症の発症防止が急務となっているものの、現状で市販されているオムツによっては便の飛散を防止することができず、極めて深刻な問題である。
【０００４】
左右の大臀筋の間には仙骨が存在し、大臀筋が減少するにつれて、仙骨が臀部よりも外側へ突出した状態の人が仰臥位で寝た場合には、上記仙骨が体重で寝具側へ押し付けられて圧迫される。ここで、人が寝た状態において各部位に加わる重みを考察すると次のようである。即ち、仰臥位で真直ぐ寝ると腰の部分に体重の約半分の重みが加わる。例えば、体重５０Ｋｇの人については、２５Ｋｇ程度の値を持つことになる。このため、仙骨の先端部の血流が悪くなる。血流が悪くなると、血液に含まれる白血球が到来せず、細菌に対して防御機能も弱くなる。
【０００５】
また、仙骨の下側には肛門があり、特に寝た切りの人においては、肛門から排泄された大便が付着する可能性も高い。大便には大腸菌などの細菌が多く含まれており、また、便そのものが強アルカリ性であることも知られている。従って、肌に大便が付着した場合には痒みを生じる。痒みを生じた場合に掻いたり、或いは寝ている間の寝具との間の摩擦により、仙骨周辺の皮膚が傷つき破れたり、更に、便の付着により細菌が繁殖するなどの繰り返しが生じ、ついには褥瘡（床擦れ）が発生する。
【０００６】
寝た切りなどの人に生じる褥瘡は、その７０％がこの仙骨周辺の皮膚に生じると言われている。老人などの寝た切りの人の多くはオムツを使用している。ここで使用されているオムツはお尻全体に巻き付けるようにセットされる。そして、フラットタイプのオムツであってもパンツタイプのオムツであっても肛門から排泄された便を直接にポリマー配合の吸水層において受けるように構成されており、大臀筋が減少した老人などにおいては上記便が背中側へ回ってしまうことになる。特に、排便から時間が経過するに従って、体動によって便がオムツ内の各部に広がることになり、褥瘡が生じている人にとっては大きな問題である。
【０００７】
既に仙骨周辺部分に褥瘡が発生している場合には、上記のように便が回って患部が汚染されるばかりか、その部分が治療のためにガーゼや絆創膏などの治療用品によって覆われていたとしても、治療用品が汚染されることになる。従って、排便の度に患部が汚れて治癒しないことになる他、治療用品の取り換え消毒が必要となり、消毒によっても患部が刺激され治癒が遅れる原因にもなっている。
【０００８】
大便により汚染される範囲を減少・限定させて介護者と被介護者の肉体的・精神的負担を軽減させることも大きな課題である。
【０００９】
介護者の負担軽減や経済性の観点から、通常のオムツカバーと基本的に同様の構成であるが、排尿・排便部位に、先端が開口したラッパ状の排尿流出筒を備えた便器と、便器を覆うように配されたパンツ状の便器カバーであって、上記排尿流出筒と連絡し、尿及び便を受けて収納する細長い有底筒状の蓄尿部材を備えた便器カバーとにより構成されたオムツカバー型便器が知られている（特許文献１参照）。
また、オムツの排尿・排便部位にスリットを設け、このスリットの外側に排せつ物の袋状の受け空間を形成した構造の排泄時作動機構が知られている（特許文献２参照）。この排泄時作動機構においては、排泄時に空気を送り込み袋状の受け空間を膨らませてオムツの排尿・排便部位に設けられたスリットを開かせて開口とするものである。
【００１０】
上記のオムツカバー型便器によれば、蓄尿部材をセットするための間隙を敷布団等により形成する必要があり、手間が掛かり煩わしいという問題がある。また、オムツカバー型便器を装着された人が動くと、間隙の形状が変化し、蓄尿部材へ適切に排便がなされない欠点も存在する。これに対し、上記機の排泄時作動機構によれば、敷布団等の用意が不要となるものの、排泄時に空気を送り込む必要があり、構成が大掛かりでコスト高となってしまう問題がある。
【先行技術文献】
【特許文献】
【００１１】
【特許文献１】実用新案登録第２５３５２５９号明細書
【特許文献２】特開２００９−１１９２２０号公報
【発明の概要】
【発明が解決しようとする課題】
【００１２】
本発明は上記のような従来の排尿排便処理に関する問題点を解決すべくなされたもので、その目的は、排泄時を捕らえて空気を送り込むなどの複雑でコスト高の構成が不要であり、また、人が座った状態でも仰臥姿勢においても更に人の体の動きによってもほぼ無関係に排泄物を捕らえることができ、衛生的で介護者の負担を軽減することができるオムツユニット及びオムツ外装体を提供することである。
【課題を解決するための手段】
【００１３】
本発明に係るオムツユニットは、人の臀部を一周するように環状に形成された弾性部材から構成された人工臀筋ブロックと、前記人工臀筋ブロックを内包し前記人工臀筋ブロックの環状部分における穴に対応する穴を有するカバーであって、装着時に少なくともこのカバーが人の臀部と対向する部分に面ファスナーが設けられたカバーと、を具備するオムツ外装体と、オムツの便対応部に開口部を有し、前記オムツ外装体の面ファスナーにより前記オムツ外装体に接着するオムツ本体部と、前記オムツ本体部の開口部に結合され、内部が吸水性で外部が防水性の便袋であって、オムツ外装体の穴に収容される便袋と、を具備するオムツ内装体と、によって構成されることを特徴とする。
【００１４】
本発明に係るオムツユニットは、オムツ外装体の穴はカバーによって塞がれた有底であって、この穴の底に面ファスナーが設けられていることを特徴とする。
【００１５】
本発明に係るオムツユニットは、装着時にカバーが人の臀部と対向する部位において、衝撃吸収ジェル片が、カバーと人工臀筋ブロックとの間に設けられていることを特徴とする。
【００１６】
本発明に係るオムツユニットは、装着時に仙骨・尾骨が対応する人工臀筋ブロックの部位に、凹部が形成され、環状部分の外側へ向かって下り傾斜が形成されていることを特徴とする。
【００１７】
本発明に係るオムツユニットは、装着時に臀部と足の境部が対応する人工臀筋ブロックの部位に、環状部分の外側へ向かって下り傾斜が形成されていることを特徴とする。
【００１８】
本発明に係るオムツユニットは、装着時に臀筋が対応する人工臀筋ブロックの部位に、人工臀筋ブロックの大部分を構成する部材とは異なる弾性の発泡性樹脂が臀筋側に凸に設けられていることを特徴とする。
【００１９】
本発明に係るオムツユニットは、便袋が、高分子吸収性ポリマーを含有する内袋と、透湿防水性の外袋により構成されていることを特徴とする。
【００２０】
本発明に係るオムツユニットは、便袋の外袋の開口部分が、オムツ本体部における開口部の周縁に熱圧着または接着により結合されていることを特徴とする。
【００２１】
本発明に係るオムツ外装体は、人の臀部を一周するように環状に形成された弾性部材から構成された人工臀筋ブロックと、前記人工臀筋ブロックを内包し、オムツカバー形状を有すると共に前記人工臀筋ブロックの環状部分における中央部に穴を有するカバーであって、装着時に少なくともこのカバーが人の臀部と対向する部分に面ファスナーが設けられたカバーと、を具備することを特徴とする。
【００２２】
本発明に係るオムツ外装体は、オムツ外装体の穴がカバーによって塞がれた有底であって、この穴の底に面ファスナーが設けられていることを特徴とする。
【００２３】
本発明に係るオムツ外装体は、衝撃吸収ジェル片が、装着時にカバーが人の臀部と対向する部分において、カバーと人工臀筋ブロックとの間に設けられていることを特徴とする。
【発明の効果】
【００２４】
本発明に係るオムツユニット及びオムツ外装体は、便袋を有するオムツ内装体のオムツ本体部が、オムツ外装体の面ファスナーによりオムツ外装体に接着するので、オムツ内装体がずれることなく、人が座った状態でも仰臥姿勢においても更に人の体の動きによってもほぼ無関係に排泄物を捕らえることができ、便が背中へ回り込み難く、衛生的で介護者の負担を軽減することができる。しかも、構成が複雑となることなく、低コストで実現できるメリットがある。また、オムツ外装体の穴における有底部に面ファスナーが設けられた場合には、上記効果が更に発揮される。
【００２５】
本発明に係るオムツユニット及びオムツ外装体では、装着時にカバーが人の臀部と対向する部位において、衝撃吸収ジェル片が、カバーと人工臀筋ブロックとの間に設けられているので、臀部に加わる応力が分散され、仙骨部分に褥瘡ができ難く、また、褥瘡ができている場合に悪化を抑制する効果がある。
【００２６】
本発明に係るオムツユニットは、装着時に仙骨・尾骨が対応する人工臀筋ブロックの部位に、凹部が形成され、環状部分の外側へ向かって下り傾斜が形成されているので、仙骨・尾骨がオムツ外装体から圧力を受ける可能性を低く抑えて、仙骨・尾骨部分に褥瘡ができ難くすることができる。また、本発明に係るオムツユニットは、装着時に臀部と足の境部が対応する人工臀筋ブロックの部位に、環状部分の外側へ向かって下り傾斜が形成されているので、オムツユニットが全体として体の臀部に適切にフィットし、寝た状態でも座った状態でも排泄物を捕らえることができる。
【００２７】
本発明に係るオムツユニットは、装着時に臀筋が対応する人工臀筋ブロックの部位に、人工臀筋ブロックの大部分を構成する部材とは異なる弾性の発泡性樹脂が臀筋側に凸に設けられているので、臀筋が減少した老人などの人工臀筋として機能し、仙骨・尾骨がオムツ外装体から圧力を受ける可能性を低く抑えて、仙骨・尾骨部分に褥瘡ができ難くすることができる。
【００２８】
本発明に係るオムツユニットは、便袋の外袋の開口部分が、オムツ本体部における開口部の周縁に熱圧着または接着により結合されているので、通常のオムツに開口を形成して、便袋を結合してオムツ内装体を作成することができ、安価で作成容易なオムツユニットを提供可能である。本発明に係るオムツユニットは、便袋が、ポリマーを含有した内袋と、透湿防水性の外袋により構成されているので、蒸れ難くしかも便の漏れを的確に防止できる。
【図面の簡単な説明】
【００２９】
【図１】本発明に係るオムツユニットの実施形態を示す斜視図。
【図２】本発明に係るオムツユニットの実施形態を構成するオムツ外装体において、内部の人工臀筋ブロックを取り外した状態を示す斜視図。
【図３】本発明に係るオムツユニットの実施形態を構成するオムツ外装体に内包される人工臀筋ブロックの組立斜視図。
【図４】本発明に係るオムツユニットの実施形態を構成するオムツ外装体を内側から見た斜視図。
【図５】本発明に係るオムツユニットの実施形態を構成するオムツ外装体を外側から見た斜視図。
【図６】本発明に係るオムツユニットの実施形態を構成するオムツ内装体を内側から見た斜視図。
【図７】本発明に係るオムツユニットの実施形態を構成するオムツ内装体を外側から見た斜視図。
【図８】本発明に係るオムツユニットの実施形態を構成するオムツ内装体に用いられる便袋の一部切欠斜視図。
【図９】本発明に係るオムツユニットの実施形態の使用状態を示す側面図。
【発明を実施するための形態】
【００３０】
以下添付図面を参照して、本発明のオムツユニット及びオムツ外装体の実施形態を説明する。各図において同一の構成要素には、同一の符号を付して重複する説明を省略する。オムツユニット１は、図１に示すように、オムツ外装体２の内側にオムツ内装体３が重ねられたものである。オムツ外装体２は、図２に示されるように、人工臀筋ブロック１０がカバー２０により包まれたものである。
【００３１】
人工臀筋ブロック１０は、人の臀部を一周するように円環状に形成された弾性部材から構成され、図３に示されるベースブロック１１を備える。ベースブロック１１は、円環状が好適であるが、これに限定されず、環状の外縁は、四角形や多角形その他の形状であっても良い。ベースブロック１１は、反硬質ウレタンフォームにより構成することができる。ベースブロック１１の厚みは、装着される人が体重を加えた状態において２５〜５５ｍｍが好適であるが、これに限定されない。ベースブロック１１が臀部に対向する面には、装着時に仙骨・尾骨が対応する部位に、Ｕ字状またはＶ字状の凹部１２が形成され、凹部１２には、円環状部分の外側へ向かって下り傾斜が形成されている。これにより、仙骨・尾骨がオムツ外装体２から圧力を受ける可能性を低く抑えて、仙骨・尾骨部分に褥瘡ができ難くすることができる。
【００３２】
ベースブロック１１が臀部に対向する面には、装着時に臀部と足の境部が対応する部位に、円環状部分の外側へ向かって下り傾斜面１３が形成されている。傾斜面１３は、その中央部において最も長い斜面を有し、両端部へ向かうほど斜面の長さが短く形成されている。この傾斜面１３によって、オムツユニット１が全体として体の臀部にうまくフィットし、寝た状態でも座った状態でも排泄物を捕らえることができる。凹部１２が形成された面の裏面側にも傾斜面６９が形成されている。この傾斜面６９は、凹部１２がベースブロック１１の外周縁となる位置の裏面側から、ベースブロック１１の中央部の穴１４側へ向かって、ベースブロック１１の厚みが厚くなるように形成される。この傾斜面６９により装着した人の背中からオムツ外装体２に到るラインが自然になり、寝た状態においても違和感を緩和することができる。
【００３３】
ベースブロック１１の中央部の穴１４は、長径が１５０ｍｍ程度で短径が１００ｍｍ程度の楕円状とすることができる。この長径と短径は人の体型により適宜変更される。穴１４の入口と出口の周縁は、面取りされた構成とすることができる。また、穴１５の形状は円筒状に限定されず、角柱状、楕円柱状、その他の形状であっても良く、特に穴１４の壁面の平面形状は適宜な形状とすることができる。この穴１４の形状に応じて、後に説明するカバー２０の穴２６の形状やオムツ本体部３０の開口部３６の形状が変更される。
【００３４】
ベースブロック１１を装着した時に臀筋が対応する（載る）部位には、左右対称に人工臀筋ブロック１０の大部分を構成する部材とは異なる弾性の発泡性樹脂が臀筋側に凸に設けられている。即ち、ベースブロック１１の装着時に臀筋が対応する（載る）部位には、円弧の板状（この実施形態では、空豆の形状）に形成された孔１５が穿設される。孔１５の底部には、孔１５と同形状の底板片１６が埋設される。底板片１６は、ベースブロック１１と同じ反硬質ウレタンフォームにより構成することができる。底板片１６は、孔１５の深さの１／２程度の厚さとすることができる。孔１５の穿設において、底板片１６に相当する部位を残すことにより、底板片１６の埋設を省略することができる。
【００３５】
底板片１６の上には、底板片１６と同形状であり、底板片１６の厚みよりやや厚い中間片１７が埋設される。中間片１７は、汎用ウレタンフォームにより構成することができる。中間片１７の上には、中間片１７の平面形状を拡大した形成であり、中間片１７の厚みの１／２程度の厚みを有する上板片１８が載置される。上板片１８は、低反発ウレタンフォームにより構成することができる。
【００３６】
上記におけるウレタンフォームの「反硬質」、「汎用」及び「低反発」は、相対的な区分であり、例えば、ＪＩＳ規格のＫ−６４００−３の反発弾性により区分すると、「反硬質ウレタンフォーム」は「高弾性フォーム」と称され、「汎用ウレタンフォーム」は「一般フォーム」と称され、「低反発ウレタンフォーム」は「低反発弾性フォーム」と称されることもある。、表すことができる。一例として、「反硬質ウレタンフォーム」は密度が４０±２（Kg/m3）で反発弾性は６０以上、「汎用ウレタンフォーム」は密度が４８±３（Kg/m3）で反発弾性は４０〜５０、「低反発ウレタンフォーム」は密度が２２±２（Kg/m3）で反発弾性は２〜６とすることができる。
【００３７】
孔１５からは、中間片１７の一部が突出し、上板片１８によって覆われた状態となる。中間片１７と上板片１８は例えば接着により結合され、孔１５内に中間片１７が固定される。この上に、ベースブロック１１の表面形状とほぼ同様の形状であり、厚さ５〜１０ｍｍ程度の被覆シート１９が設けられる。被覆シート１９は、汎用ウレタンフォームにより構成することができる。被覆シート１９は、下方に中間片１７、底板片１６が存在する上板片１８を含んで、ベースブロック１１の表面を覆った状態とされる。この状態において、被覆シート１９の周縁部が、ベースブロック１１の周縁部に接着などにより固定される。
【００３８】
以上の通り、装着時に臀筋が対応する人工臀筋ブロック１０の部位に、人工臀筋ブロック１０の大部分を構成部材とは異なる弾性のウレタンなどの発泡性樹脂が臀筋側に凸に設けられている。被覆シート１９の表面であって、中間片１７や底板片１６と対応する位置には、衝撃吸収ジェル片２９が貼着されている。衝撃吸収ジェル片２９は、中間片１７や底板片１６と同様の平面形状の板体であり、衝撃吸収ジェルがシートに内包されたものを用いることができる。被覆シート１９、中間片１７、底板片１６、上板片１８及び衝撃吸収ジェル片２９を含んで構成される弾性部材は、オムツユニットが装着された状態で、坐骨（寛骨の後部にある骨で、座ったときに体幹を支持する骨）に当接して体重を支え、座った状態において痩せた老人等が臀部に痛みを感じにくく、快適な装着感を達成することができる。被覆シート１９、中間片１７、底板片１６、上板片１８及び衝撃吸収ジェル片２９を含んで構成される弾性部材は、全体として同じ弾性部材により構成しても良い。ベースブロック１１や弾性部材は、モールド成型により作成することができる。
【００３９】
カバー２０は、図４、図５に示すようにオムツカバー形状である。即ち、臀部が載置されるほぼ台形形状の中央部２１から、装着時の前方となる側に前立部２２が帯状に延在している。また、中央部２１から、装着時における左右の腰部に対応する側に、それぞれ二本のベルト状の腰巻付部２３が延在している。カバー２０は、圧縮ウレタンの表裏面にメリヤスなどの布を貼着して作成した複合素材を用いることができる。
【００４０】
前立部２２の内側先端には、面ファスナー２２ａが設けられ、腰巻付部２３の内側先端には、面ファスナー２３ａが設けられている。ベースブロック１１のＵ字状またはＶ字状の凹部１２の部位を覆う、カバー２０の表面位置に、仙骨位置マークＭを設けると（図４）、装着させる際の目印とすることができる。
【００４１】
カバー２０の中央部２１の裏面側（装着時に表となる側）には、人工臀筋ブロック１０を収納する袋部２４が設けられている。カバー２０の中央部２１の裏面側には、人工臀筋ブロック１０の周縁部に沿った形状のほぼ円周状にファスナー２５が設けられており、袋部２４がカバー２０の中央部２１の裏面側に着脱可能に設けられる。従って、ファスナー２５を開いた状態では、図２に示すように人工臀筋ブロック１０を取り出すことができる。
【００４２】
人工臀筋ブロック１０の円環状部分における中央部の穴１４に対応して、袋部２４には、カバー２０の中央部２１の表面側から裏面へ向かって深さを有する穴２６が備えられている。別言すれば、穴１４の壁面がカバー２０の穴２６におけるシートによって覆われている。カバー２０の穴２６は有底であり、この穴２６の底面２６ｆに面ファスナー２６ａを設けることができる。更に、穴２６の壁面に面ファスナーを設けても良い。カバー２０の穴２６の周囲であって、装着時に少なくともこのカバー２０が人の臀部と対向する部分には、円弧の板状の形状を有する面ファスナー２６ａａが設けられている。
【００４３】
図６、図７に示すように、オムツ内装体３は、中央部の長方形領域である便受部３１と、便受部３１に連続し、概ね台形形状の背側被覆部３２と、便受部３１に背側被覆部３２とは逆側において連続し、概ね台形形状の腹側被覆部３３とにより構成される紙オムツであるオムツ本体部３０を備えている。
【００４４】
オムツ本体部３０の内側（人に触れる側）は紙繊維製の高分子吸収性ポリマーを含有する吸水性シートにより構成され、外側は好ましくは紙繊維製の透湿防水性のシートにより構成され、吸水性シートと透湿防水性のシートの間には、上記吸水性シートに連続する一層かまたは何層かの吸水性部材が介装されている。便受部３１の両側縁部には、尿漏れ防止用のギャザー３４が植設され、ギャザー３４は、オムツ本体部３０の背側被覆部３２及び腹側被覆部３３の領域に延びて設けられている。ギャザー３４の外側には、ギャザー３４に沿ってギャザー３４よりも短い寸法でゴム３５が縫着されている。ゴム３５によってオムツ本体部３０のゴム３５が縫着された部位が伸縮し、この部分が足の付根付近においてフィットする。
【００４５】
背側被覆部３２の横側方端部には、折り畳まれた面ファスナー３２ａが設けられ、使用の際に面ファスナー３２ａが引き出されて腹側被覆部３３の横側方端部３９に接着され、背側被覆部３２と腹側被覆部３３が結合され、パンツ型オムツの形態となる。横側方端部３９は、面ファスナー３２ａを強力に接着するための接着補強加工が施されたシートにより構成されても良い。
【００４６】
便受部３１の中央には、背側被覆部３２の方向及び腹側被覆部３３の方向へ延びる一条の開口部３６が形成されている。開口部３６の周縁は、超音波切断加工やエンボス加工などによりオムツ本体部３０における吸水性シートと透湿防水性のシートの間に存在する部材が飛び出さぬように封止される。開口部３６には、図８に示す内袋４１と外袋４２を備える便袋４０が結合される。便袋４０の内袋４１は、紙繊維（パルプ）製であり、内袋４１は高分子吸収性ポリマーを含有した吸水性メッシュシートにより構成され、便と触れる面には、水分透過性の不織布が設けられる。便袋４０の外袋４２は好ましくは透湿防水性シートにより構成することができる。便袋４０の外袋４２露出面には不織布が貼着される。この不織布は、オムツ内装体３の穴２６に設けられた面ファスナー２６ａがしっかり付着し適切な固定がなされるように設けられる。
【００４７】
便袋の構成は上記のものに限定されない。例えば、外袋４２を上記の外袋の構成とし、内袋は高分子吸収性ポリマーを含有した吸水性シートにより構成し、この内袋の内側（内袋の内壁側）或いは外側（内袋の外壁側）に上記紙繊維（パルプ）製の高分子吸収性ポリマーを含有した吸水性メッシュシートの一部を貼り付けて構成しても良い。また、本願出願人が出願した特願２０１２−１３９０９５に示した便袋であっても良い。
【００４８】
内袋４１の開口端部４３は、外袋４２の開口端部４４より低い位置にあり、外袋４２の開口内側領域４５は、熱圧着或いは接着用の領域である。外袋４２の開口内側領域４５が便受部３１の開口部３６における外側面（裏面）の縁部に熱圧着或いは接着されて、便袋４０が図７に示されるように結合される。便袋４０の内袋４１と便受部３１の開口部３６における内面とは、接着テープなどにより結合することができる。
【００４９】
上記のように構成されたオムツ内装体３とオムツ外装体２を用いてオムツユニット１を構成することができる。オムツ内装体３の開口部３６に手を入れて、便袋４０を広げた状態で、オムツ外装体２の穴２６に挿入し便袋４０の底部を穴２６に設けられた面ファスナー２６ａにしっかりと結合させる。更に、オムツ内装体３における開口部３６の周辺を、オムツ外装体２の面ファスナー２６ａａに結合させる。この状態が図１の状態である。
【００５０】
このように組み立てられたオムツユニット１を、要介護者などの臀部へ押し入れて開口部３６の中央が肛門に対応する位置となるようにし、オムツ内装体３をオムツ同様に人に装着させる。更に、オムツ外装体２の前立部２２を腹側へ折り込んで、面ファスナー２２ａをオムツ内装体３の腹側被覆部３３における外表面に押し付けてオムツ外装体２をオムツ内装体３に結合させる。更に、ベルト状の腰巻付部２３を人の腹側へ引き出し、面ファスナー２３ａを腰側へ押し付けてオムツ外装体２をオムツ内装体３に結合させる。この状態を図９に示す。
【００５１】
上記のオムツユニットでは、便袋４０を有するオムツ内装体３のオムツ本体部が、オムツ外装体２の面ファスナー２６ａａによりオムツ外装体２に接着するので、オムツ内装体３とオムツ外装体２が結合された状態でずれることなく、人が座った状態でも仰臥姿勢においても更に人の体の動きによってもほぼ無関係に排泄物を捕らえることができ、便が背中へ回り込み難く、衛生的で介護者の負担を軽減することができる。また、便袋４０がオムツ外装体２の穴２６において広がった状態で面ファスナー２６ａに固定されており、便袋４０内に排泄された便を留めて、仙骨への付着が防止され、大便により汚染される範囲を減少・限定させて介護者と被介護者の肉体的・精神的負担を軽減させることが可能となる。
【符号の説明】
【００５２】
１  オムツユニット
２  オムツ外装体
３  オムツ内装体
１０  人工臀筋ブロック
１１  ベースブロック
２０  カバー
２４  袋部
２６  穴
２９  衝撃吸収ジェル片
３１  便受部
３２  背側被覆部
３３  腹側被覆部
４０  便袋
４１  内袋
４２  外袋
【図１】
2014094062.tif 000003
【図２】
2014094062.tif 000004
【図３】
2014094062.tif 000005
【図４】
2014094062.tif 000006
【図５】
2014094062.tif 000007
【図６】
2014094062.tif 000008
【図７】
2014094062.tif 000009
【図８】
2014094062.tif 000010
【図９】
2014094062.tif 000011